【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
ソーシャルネットワークシステムによって維持されているソーシャルグラフにおける存在しているソーシャルグラフのつながりによって表される第１のユーザ対話を特定する工程と、
前記ソーシャルネットワークシステムの前記ソーシャルグラフをたどることによって、前記第１のユーザ対話に関連付けられている前記ソーシャルネットワークシステム内のソーシャルネットワークオブジェクトを識別する、オブジェクト識別工程と、
前記第１のユーザ対話に基づいてユーザアカウントを識別する、ユーザアカウント識別工程と、
特定された前記第１のユーザ対話に基づいて、識別された前記ユーザアカウントと、識別された前記ソーシャルネットワークオブジェクトとの間におけるソーシャルグラフにおける黙示的なつながりを生成する工程であって、前記第１のユーザ対話に関連付けられている、存在しているソーシャルグラフの前記つながりは、前記ユーザアカウントと、前記ソーシャルネットワークオブジェクトとの両方に関っていない、工程と、
前記ソーシャルグラフにおける黙示的なつながりを、前記ソーシャルネットワークシステムのソーシャルグラフに記憶する工程と、
前記ソーシャルグラフにおける黙示的なつながりに基づいて、ユーザデバイスに表示するためのコンテンツエントリを選択する工程と、を含む方法。
【請求項２】
前記ユーザアカウント識別工程は、前記第１のユーザ対話を開始した前記ユーザアカウント、または前記第１のユーザ対話に関っている前記ユーザアカウントを識別する工程を含む、請求項１に記載の方法。
【請求項３】
前記オブジェクト識別工程は、前記第１のユーザ対話に直接的または間接的に関っている前記ソーシャルネットワークオブジェクトのリンク、参照、またはコンテンツを識別することによって前記ソーシャルネットワークオブジェクトを識別する工程を含む、請求項１に記載の方法。
【請求項４】
前記ユーザアカウントによりサインインされている前記ユーザデバイスに表示するための前記コンテンツエントリに関する発信元記述を生成する工程をさらに含み、
前記発信元記述は、前記第１のユーザ対話が、前記コンテンツエントリの前記選択をト
リガしたものであることを示す、請求項１に記載の方法。
【請求項５】
前記ユーザアカウント識別工程は、前記第１のユーザ対話に関っている関連したアカウントと同じである属性エントリを共有している前記ユーザアカウントを識別する工程を含む、請求項１に記載の方法。
【請求項６】
ソーシャルプラグインから前記ソーシャルネットワークシステムに前記第１のユーザ対話を受け取る工程をさらに含む、請求項１に記載の方法。
【請求項７】
前記ソーシャルグラフにおける黙示的なつながりに基づいて前記ユーザアカウントに対する確認要求を生成する工程をさらに含み、前記確認要求は、前記ソーシャルグラフにおける黙示的なつながりをソーシャルグラフにおける明示的なつながりに変換するためのものである、請求項１に記載の方法。
【請求項８】
ソーシャルネットワークシステムによって維持されているソーシャルグラフにおける存在しているソーシャルグラフのつながりによって表される第１のユーザ対話を特定する工程と、
前記ソーシャルネットワークシステムの前記ソーシャルグラフをたどることによって、前記第１のユーザ対話に関連付けられている前記ソーシャルネットワークシステム内のソーシャルネットワークページを識別する工程と、
前記第１のユーザ対話に基づいてユーザアカウントを識別する工程と、
特定された前記第１のユーザ対話に基づいて、識別された前記ユーザアカウントと、識別された前記ソーシャルネットワークページとの間におけるソーシャルグラフにおける黙示的なつながりを生成する工程であって、前記第１のユーザ対話に関連付けられている、存在しているソーシャルグラフの前記つながりは、前記ユーザアカウントと、前記ソーシャルネットワークページとの両方に関っていない、工程と、
前記ソーシャルグラフにおける黙示的なつながりのエッジの重みを特定する、重み特定工程と、
前記ソーシャルグラフにおける黙示的なつながりを、前記ソーシャルネットワークシステムのソーシャルグラフに記憶する工程と、
前記ソーシャルグラフにおける黙示的なつながりに基づいて、ユーザデバイスに表示するためのコンテンツエントリを選択する、コンテンツエントリ選択工程と、を含む方法。
【請求項９】
前記重み特定工程は、前記ユーザアカウントに関連付けられているロケーションと、前記ソーシャルネットワークページに関連付けられているロケーションとの地理的近接度に基づいて前記エッジの重みを特定する工程を含む、請求項８に記載の方法。
【請求項１０】
前記ソーシャルネットワークページに関っている第２のユーザ対話を受け取る工程と、
前記第２のユーザ対話に基づいて前記エッジの重みを調整する工程と、をさらに含む、請求項８に記載の方法。
【請求項１１】
前記ユーザアカウントのアカウントプロフィールにアクセスする工程をさらに含み、
前記重み特定工程は、前記アカウントプロフィールに基づく、請求項８に記載の方法。
【請求項１２】
事業タイプを含む、前記ソーシャルネットワークページのページプロフィールにアクセスする工程をさらに含み、
前記重み特定工程は、前記ページプロフィールに基づく、請求項８に記載の方法。
【請求項１３】
前記ソーシャルグラフ内のソーシャルグラフにおける明示的なつながりに基づいてエッジ重みモデルを生成する工程をさらに含み、前記エッジ重みモデルは、前記ソーシャルグ
ラフ内のページノードタイプおよびユーザアカウントノードタイプに固有であり、
前記重み特定工程は、前記エッジ重みモデルに基づく、請求項８に記載の方法。
【請求項１４】
前記重み特定工程は、前記ユーザアカウントおよび前記ソーシャルネットワークページに関連したユーザ対話の履歴に基づく、請求項８に記載の方法。
【請求項１５】
前記重み特定工程は、前記ユーザアカウントおよび前記ソーシャルネットワークページに関連した前記第１のユーザ対話の頻度に基づく、請求項１４に記載の方法。
【請求項１６】
前記コンテンツエントリ選択工程は、前記ソーシャルグラフにおける黙示的なつながりの前記エッジの重みに基づいて、前記ユーザアカウントによりサインインされている前記ユーザデバイスに表示するための広告オブジェクトを選択する工程を含む、請求項８に記載の方法。
【請求項１７】
前記コンテンツエントリ選択工程は、前記ソーシャルグラフにおける黙示的なつながりの前記エッジの重みに基づいて、前記ユーザアカウントによりサインインされている前記ユーザデバイスに表示するためのニュースフィードを選択する工程を含む、請求項８に記載の方法。
【請求項１８】
プロセッサと、
非一時的メモリと、
ソーシャルネットワーキングシステムによって維持されているソーシャルグラフにおける存在しているソーシャルグラフのつながりによって表される第１のユーザ対話を記録するように構成されるアクションロガーと、
つながり生成モジュールであって、
前記ソーシャルネットワーキングシステムの前記ソーシャルグラフをたどることによって、前記第１のユーザ対話に関連付けられている前記ソーシャルネットワーキングシステム内のソーシャルネットワークページを識別し、
前記第１のユーザ対話に基づいてユーザアカウントを識別し、
前記第１のユーザ対話に基づいて、前記ユーザアカウントと、前記ソーシャルネットワークページとの間におけるソーシャルグラフにおける黙示的なつながりを生成するように構成され、前記第１のユーザ対話に関連付けられている、存在しているソーシャルグラフの前記つながりは、前記ユーザアカウントと、前記ソーシャルネットワークオブジェクトとの両方に関っておらず、
前記ソーシャルグラフにおける黙示的なつながりを、前記ソーシャルネットワーキングシステムのソーシャルグラフに記憶する、前記つながり生成モジュールと、
前記ソーシャルグラフにおける黙示的なつながりに基づいて、ユーザデバイスに表示するためのコンテンツエントリを選択するように構成されるつながり利用モジュールと、を含み、
前記アクションロガー、前記つながり生成モジュール、および前記つながり利用モジュールは、前記非一時的メモリ上に記憶される命令として実装されており、前記命令が、前記プロセッサによって実行可能である、ソーシャルネットワーキングシステム。
【請求項１９】
前記つながり生成モジュールは、前記第１のユーザ対話を開始した前記ユーザアカウント、または前記第１のユーザ対話に関っている前記ユーザアカウントを識別するように構成される、請求項１８に記載のソーシャルネットワーキングシステム。
【請求項２０】
前記つながり生成モジュールは、前記第１のユーザ対話に直接的または間接的に関っている前記ソーシャルネットワークページのリンク、参照、またはコンテンツを識別することによって前記ソーシャルネットワークページを識別するように構成される、請求項１８
に記載のソーシャルネットワーキングシステム。